(57)【要約】【課題】使用しないときは簡単な操作で首に掛けて保持でき、顔に装着したとき左右のリム１２，１４のズレによってレンズ１１，１３が傾くことがなく、折り畳みも容易で、コンパクトに折り畳むことができる眼鏡１０，３０を提供すること。【解決手段】左つる部材２０の凸片２０ｂを右つる部材２１の嵌合穴２１ｂから抜き出して左右のつる部材２０，２１を分離し、首に掛け渡す。首への装着が迅速、容易に行える。また、眼鏡１０を使用しないとき、顔から外して左右のつる部材２０，２１で首から吊り下げることができる。眼鏡フレーム１０Ａの左右のリム１２，１４はブリッジ１５で連結されているので、左右のつる部材２０，２１を嵌合穴２１ｂから分離して首に掛け渡すときに左右のリム１２，１４がずれてレンズ１１，１３が傾くおそれがない。従って、眼鏡１０を顔に装着するときレンズ１１，１３の傾きに注意する必要がないので、使い勝手が良い。【選択図】図１
2020134663.tif 000002
【特許請求の範囲】
【請求項１】
左レンズを嵌め込んだ左リムと右レンズを嵌め込んだ右リムをブリッジで連結した眼鏡フレームを備え、眼鏡フレームの左端部に第１ヒンジを介して左テンプルの一端を回動可能に組み付け、眼鏡フレームの右端部に第２ヒンジを介して右テンプルの一端を回動可能に組み付け、左テンプルを第１ヒンジから折り曲げて眼鏡フレームに重ね、右テンプルを第２ヒンジから折り曲げて眼鏡フレームに重ねるように折りたたむことができる眼鏡であって、
左テンプルの他端から左つる部材を延伸し、
右テンプルの他端から右つる部材を延伸し、
左つる部材の先端部と右つる部材の先端部を着脱可能に連結する先端連結部を設け、
左つる部材と右つる部材を先端連結部から分離して両つる部材を首筋に掛け渡し、掛け渡した左つる部材と右つる部材を先端連結部で連結して首から眼鏡フレームを吊り下げるようにしたことを特徴とする眼鏡。
【請求項２】
前記左つる部材と右つる部材が可撓性材料から成り、左つる部材を左テンプルの他端から左テンプルに重なるように折りたたむことができ、右つる部材を右テンプルの他端から右テンプルに重なるように折りたたむことができるようにしたことを特徴とする請求項１に記載の眼鏡。
【請求項３】
左つる部材の基端部を左テンプルの他端に着脱可能に連結する左連結部を設け、
右つる部材の基端部を右テンプルに着脱可能に連結する右連結部を設けたことを特徴とする請求項１に記載の眼鏡。
【請求項４】
第３ヒンジを介して左テンプルの他端に左つる部材の基端部を連結し、
第４ヒンジを介して右テンプルの他端に右つる部材の基端部を連結し、
左つる部材を左テンプルに重ねるように第３ヒンジから折り曲げ、
右つる部材を右テンプルに重ねるように第４ヒンジから折り曲げることができるようにしたことを特徴とする請求項１に記載の眼鏡。
【請求項５】
前記先端連結部として磁石を設けたことを特徴とする請求項１に記載の眼鏡。
【請求項６】
前記先端連結部として一方のつる部材の先端部が着脱可能に挿入される嵌合穴を他方のつる部材に設けたことを特徴とする請求項１に記載の眼鏡。
【請求項７】
左連結部として左テンプルの他端が着脱可能に挿入される嵌合穴を左つる部材の基端部に形成し、右連結部として右テンプルの他端が着脱可能に挿入される嵌合穴を右つる部材の基端部に形成したことを特徴とする請求項３に記載の眼鏡。
【発明の詳細な説明】
【技術分野】
【０００１】
本発明は眼鏡に関し、より詳しくは使用しないときは首に掛けて保持できる眼鏡に関する。
【背景技術】
【０００２】
眼鏡の一形式として、特表２０１７−５２０８０７号公報には、左のレンズを嵌め込んだ左リムと右レンズを嵌め込んだ右リムを磁石で着脱可能に連結した眼鏡フレームを備え、眼鏡フレームの左端部に第１ヒンジを介して左テンプルの一端を連結し、眼鏡フレームの右端部に第２ヒンジを介して右テンプルの一端を連結し、可撓性を有するツルの一端を左テンプルの他端に第３ヒンジを介して連結し、右テンプルの他端に第４ヒンジを介してツルの他端を連結した眼鏡が開示されている。
【０００３】
この眼鏡を着用するには、左右のリムを磁石から分離してツルを首に掛け渡した後、左右のリムを磁石で連結して顔に装着する。
眼鏡を使用しないときは、首に掛けたツルで眼鏡フレームを首から吊り下げて保持する。
また、首から取り外した眼鏡は、左右のリムを分離し、左リムを第１ヒンジから折り曲げて左テンプルに重ね、右リムを第２ヒンジから折り曲げて右テンプルに重ね、さらに、ツルを第３ヒンジと第４ヒンジから左テンプルと右テンプル側へ折り曲げて畳み込むことができる。
【先行技術文献】
【特許文献】
【０００４】
【特許文献１】特表２０１７−５２０８０７号公報
【発明の概要】
【発明が解決しようとする課題】
【０００５】
上記した従来の眼鏡では、磁石による左右のリムの連結部に砂粒や鉄粉等の粉塵が付着すると、連結したとき左右のリムにズレが生じる。連結した左右のリムにズレが生じると、眼鏡を顔に装着したときレンズが傾くことがあるので、顔に装着する度に鏡でレンズの傾き具合を確認しなければならず、使い勝手が悪い。
また、テンプルとツルを折り畳む手順も面倒で、コンパクトに折り畳むことができない。
【０００６】
本発明はかかる点に鑑み、使用しないときは簡単な操作で首に掛けて保持でき、顔に装着したとき左右のリムのズレによってレンズが傾くことがなく、折り畳みも容易で、コンパクトに折り畳むことができる眼鏡を提供することを目的とする。
【課題を解決するための手段】
【０００７】
請求項１に記載の発明は、
左レンズを嵌め込んだ左リムと右レンズを嵌め込んだ右リムをブリッジで連結した眼鏡フレームを備え、眼鏡フレームの左端部に第１ヒンジを介して左テンプルの一端を回動可能に組み付け、眼鏡フレームの右端部に第２ヒンジを介して右テンプルの一端を回動可能に組み付け、左テンプルを第１ヒンジから折り曲げて眼鏡フレームに重ね、右テンプルを第２ヒンジから折り曲げて眼鏡フレームに重ねるように折りたたむことができる眼鏡であって、
左テンプルの他端から左つる部材を延伸し、
右テンプルの他端から右つる部材を延伸し、
左つる部材の先端部と右つる部材の先端部を着脱可能に連結する先端連結部を設け、
左つる部材と右つる部材を先端連結部から分離して両つる部材を首筋に掛け渡し、掛け渡した左つる部材と右つる部材を先端連結部で連結して首から眼鏡フレームを吊り下げるようにしたことを特徴とする。
【０００８】
請求項２に記載の発明は、請求項１に記載の眼鏡において、
前記左つる部材と右つる部材が可撓性材料から成り、左つる部材を左テンプルの他端から左テンプルに重なるように折りたたむことができ、右つる部材を右テンプルの他端から右テンプルに重なるように折りたたむことができるようにしたことを特徴とする。
【０００９】
請求項３に記載の発明は、請求項１に記載の眼鏡において、
左つる部材の基端部を左テンプルの他端に着脱可能に連結する左連結部を設け、
右つる部材の基端部を右テンプルに着脱可能に連結する右連結部を設けたことを特徴とする。
【００１０】
請求項４に記載の発明は、請求項１に記載の眼鏡において、
第３ヒンジを介して左テンプルの他端に左つる部材の基端部を連結し、
第４ヒンジを介して右テンプルの他端に右つる部材の基端部を連結し、
左つる部材を左テンプルに重ねるように第３ヒンジから折り曲げ、
右つる部材を右テンプルに重ねるように第４ヒンジから折り曲げることができるようにしたことを特徴とする。
【００１１】
請求項５に記載の発明は、請求項１に記載の眼鏡において、
前記先端連結部として磁石を設けたことを特徴とする。
【００１２】
請求項６に記載の発明は、請求項１に記載の眼鏡において、
前記先端連結部として一方のつる部材の先端部が着脱可能に挿入される嵌合穴を他方のつる部材に設けたことを特徴とする。
【００１３】
請求項７に記載の発明は、請求項３に記載の眼鏡において、
左連結部として左テンプルの他端が着脱可能に挿入される嵌合穴を左つる部材の基端部に形成し、右連結部として右テンプルの他端が着脱可能に挿入される嵌合穴を右つる部材の基端部に形成したことを特徴とする。
【発明の効果】
【００１４】
請求項１に記載の眼鏡によれば、左右のつる部材を先端連結部から分離して首に掛け渡すことができるので、首への装着が迅速、容易に行える。また、眼鏡を使用しないとき、顔から外して左右のつる部材で首から吊り下げることができる。
しかして、本発明によれば、眼鏡フレームの左右のリムはブリッジ連結されているので、左右のつる部材を先端連結部から分離して首に掛け渡すときに左右のリムがずれてレンズが傾くおそれがない。従って、眼鏡を顔に装着するときレンズの傾きに注意する必要がないので、使い勝手が良い。
【００１５】
請求項２に記載の発明によれば、分離した左右のつる部材をそれぞれ各テンプルに重なるように折り畳み、折り畳んだつる部材とともに、各テンプルを眼鏡フレームに重ねることができ、眼鏡を首から外して仕舞うときコンパクトに折り畳むことができる。
【００１６】
請求項３に記載の発明によれば、既存の眼鏡の左テンプルと右テンプルのそれぞれに左つる部材と右つる部材を連結することにより、既存の眼鏡を、首への掛け渡しが迅速、容易にでき、また、使用しないとき、顔から外して首から吊り下げることができる眼鏡にすることができる。
【００１７】
請求項４に記載の発明によれば、左つる部材を第３ヒンジから折り曲げて左テンプルに重ね、右つる部材を第４ヒンジから折り曲げて右テンプルに重ね、さらに左テンプルと右テンプルを眼鏡フレームに重ねることができるので、眼鏡をコンパクトに折り畳むことができる。
【００１８】
請求項５に記載の発明によれば、磁石の磁力を利用して左つる部材と右つる部材を連結するので、着脱操作を迅速、容易に行うことができる。
【００１９】
請求項６に記載の発明によれば、一方のつる部材の先端部を嵌合穴に差し込むだけで両つる部材を連結でき、先端連結部の構造が簡単でコストを低減できる。
【００２０】
請求項７に記載の発明によれば、左つる部材と左テンプルとの連結、及び右つる部材と右テンプルとの連結が各テンプルの他端を嵌合穴に差し込むだけでできるので、つる部材の装着が簡単にできる。
【図面の簡単な説明】
【００２１】
【図１】本発明の第１実施例に係る眼鏡を示す斜視図である。
【図２】同眼鏡を首から吊り下げた人物を示す説明図である。
【図３】同眼鏡を着用した人物を示す説明図である。
【図４】同眼鏡の折り畳んだ状態を示す斜視図である。
【図５】本発明の第２実施例に係る眼鏡を示す斜視図である。
【図６】同眼鏡のテンプルを折り畳んだ状態を示す斜視図である。
【図７】同眼鏡の折り畳んだ状態を示す斜視図である。
【実施例１】
【００２２】
以下に本発明を図面に基づき説明する。図１には本発明の第１実施例に係る眼鏡１０が示されている。
当該眼鏡１０は、左レンズ１１を嵌め込んだ左リム１２と右レンズ１３を嵌め込んだ右リム１４をブリッジ１５で連結した眼鏡フレーム１０Ａを備えている。眼鏡フレーム１０Ａの左端部には第１ヒンジ１６を介して左テンプル１７の一端が回動可能に組み付けられ、眼鏡フレーム１０Ａの右端部には第２ヒンジ１８を介して右テンプル１９の一端が回動可能に組み付けられている。
【００２３】
眼鏡１０の左テンプル１７の耳掛け部１７ａの先端から左つる部材２０が延伸し、右テンプル１９の耳掛け部１９ａの先端から右つる部材２１が延伸している。左つる部材２０及び右つる部材２１はいずれも軟質プラスチック製の成型品で、可撓性を有する。左つる部材２０の基端部と右つる部材２１の基端部にはそれぞれ嵌合穴２０ａ，２１ａが形成されている。左つる部材２０の嵌合穴２０ａに左テンプル１７の耳掛け部１７ａの先端が着脱可能に挿入され、左テンプル１７と左つる部材２０が連結されている。同様に、右つる部材２１の嵌合穴２１ａに右テンプルの１９の耳掛け部１９ａの先端が着脱可能に挿入され、右テンプル１９と右つる部材２１が連結されている。
【００２４】
左つる部材２０の先端部には先端が尖った凸片２０ｂが形成され、右つる部材２１の先端部には凸片２０ｂが着脱可能に挿入される嵌合穴２１ｂが形成されている。左右のつる部材２０，２１は凸片２０ｂを嵌合穴２１ｂに挿入することで連結でき、また凸片２０ｂを嵌合穴２１ｂから抜き出すことで分離できる。
【００２５】
第１実施例に係る眼鏡１０の構造は以上の通りであって、左つる部材２０と右つる部材２１を嵌合穴２１ｂから分離して両つる部材２０，２１を首筋に掛け渡し、掛け渡した左つる部材２０と右つる部材２１を、凸片２０ｂを嵌合穴２１ｂに差し込んで連結する。
そして、図２に示すように、眼鏡１０を使用しないときは首から眼鏡フレーム１０Ａを吊り下げるようにして保持する。図３に示すように、眼鏡１０は、連結した左右のつる部材２０，２１を首に掛けたまま、顔に装着して使用することができる。
【００２６】
また、図４に示すように、首から取り外した眼鏡１０は、分離した左右のつる部材２０、２１をそれぞれ各テンプル１７、１９に重なるように折り畳み、折り畳んだつる部材２０，２１とともに、各テンプル１７，１９を眼鏡フレーム１０Ａに重ねることができ、眼鏡１０を首から外して仕舞うときコンパクトに折り畳むことができる。
【００２７】
第１実施例に係る眼鏡１０によれば、左つる部材２０の凸片２０ｂを右つる部材２１の嵌合穴２１ｂから抜き出して左右のつる部材２０，２１を分離し、首に掛け渡すことができるので、首への装着が迅速、容易に行える。また、眼鏡１０を使用しないとき、顔から外して左右のつる部材２０，２１で首から吊り下げることができる。
【００２８】
眼鏡フレーム１０Ａの左右のリム１２，１４はブリッジ１５で連結されているので、左右のつる部材２０，２１を嵌合穴２１ｂから分離して首に掛け渡すときに左右のリム１２，１４がずれてレンズ１１，１３が傾くおそれがない。従って、眼鏡１０を顔に装着するときレンズ１１，１３の傾きに注意する必要がないので、使い勝手が良い。
【００２９】
既存の眼鏡１０の左テンプル１７と右テンプル１９のそれぞれに左つる部材２０と右つる部材２１を連結することにより、既存の眼鏡１０を、首への掛け渡しが迅速、容易にでき、また、使用しないとき、顔から外して首から吊り下げることができる眼鏡１０にすることができる。
【００３０】
左つる部材２０の凸片２０ｂを右つる部材２１の嵌合穴２１ｂに差し込むだけで簡単に両つる部材２０，２１を連結できる。また、左つる部材２０と左テンプル１７との連結、及び右つる部材２１と右テンプル１９との連結が嵌合穴２０ａ，２１ａに耳掛け部１７ａ，１９ａの先端を差し込むだけでできるので、左右のつる部材２０，２１の装着が簡単にできる。
【実施例２】
【００３１】
本発明の第２実施例に係る眼鏡３０を図５〜図７に示す。第２実施例に係る眼鏡３０の左つる部材２０の基端部には第３ヒンジ２２が設けられている。また、右つる部材２１の基端部には第４ヒンジ２３が設けられている。左つる部材２０の先端部には磁石２４が固着され、右つる部材２１の先端部には磁性体２５が固着されている。
なお、本実施例の他の構成は第１実施例に係る眼鏡１０と同じであるので、同一の構成要素に同一の符号を付して説明を省略する。
【００３２】
第２実施例に係る眼鏡３０は、図６に示すように、左つる部材２０を第３ヒンジ２２から折り曲げて左テンプル１７に重ね、右つる部材２１を第４ヒンジ２３から折り曲げて右テンプル１９に重ね、さらに図７に示すように、左テンプル１７と右テンプル１９を眼鏡フレー１０Ａに重ねることができるので、眼鏡３０をコンパクトに折り畳むことができる。
【００３３】
磁石２４の磁力を利用して左つる部材２０と右つる部材２１を連結するので、着脱操作を迅速、容易に行うことができる。
【００３４】
なお、第２実施例にかかる眼鏡３０の左つる部材２０と右つる部材２１は第３ヒンジ２２、第４ヒンジ２３から折り曲げることが出来るので、必ずしも第１実施例の眼鏡のように、つる部材２０，２１を軟質プラスチックで成形する必要はない。
また、第１、第２実施例の眼鏡１０，３０はいずれも嵌合穴２０ａ，２１ａを形成してつる部材２０，２１とテンプル１７，１９を連結する構造を採用したが、つる部材２０，２１とテンプル１７，１９をビス、磁石で連結するなど、他の連結構造を採用することも可能である。
【符号の説明】
【００３５】
１０…眼鏡
１０Ａ…眼鏡フレーム
１１…左レンズ
１２…左リム
１３…右レンズ
１４…右リム
１６…第１ヒンジ
１７…左テンプル
１７ａ…耳掛け部
１８…第２ヒンジ
１９…右テンプル
１９ａ…耳掛け部
２０…左つる部材
２０ａ…嵌合穴
２０ｂ…凸片
２１…右つる部材
２１ａ…嵌合穴
２１ｂ…嵌合穴
２２…第３ヒンジ
２３…第４ヒンジ
２４…磁石
２５…磁性体
【図１】
2020134663.tif 000003
【図２】
2020134663.tif 000004
【図３】
2020134663.tif 000005
【図４】
2020134663.tif 000006
【図５】
2020134663.tif 000007
【図６】
2020134663.tif 000008
【図７】
2020134663.tif 000009